(57)【要約】  【課題】  簡単な構造で閉じた状態を維持することができ、繰り返し使用することが容易なブックバンドを提供する。【解決手段】  本発明のブックバンド１は、板状部材１０とバンド部材１１とを有している。板状部材１０は折り目４０を有し、折り目４０によってバンド固定部２０と保持部３０とが形成されている。また、バンド部材１１はバンド固定部２０に固定されている。  そして、板状部材１０を折りたたんだ状態で、折り目４０が手帳８０の綴じ部８５ａ側となるようにしながら、保持部３０を手帳８０の表表紙８６の内側で保持し、綴じ部８５ａと開閉部８５ｂの間をバンド部材１１で巻き付けて、手帳８０が閉じた状態を維持する。【選択図】  図３
2009214897.tif 000002
【特許請求の範囲】
【請求項１】
シートを重ねて綴じた両面に表表紙及び裏表紙を配置し、表表紙及び裏表紙をシートが綴じられた綴じ部側で固定して、綴じ部とは反対側の開閉部側が開閉できる対象物を、一時的に閉じた状態を維持するブックバンドであって、
幅方向の中途部分で折り曲げられて折り目が形成され、前記折り目によってバンド固定部と保持部とが形成される板状部材と、前記バンド固定部に固定されるバンド部材とを有し、
板状部材を折りたたんだ状態で、折り目が対象物の綴じ部側となるようにしながら、保持部を対象物の表表紙又は裏表紙の内側で保持し、綴じ部と開閉部の間をバンド部材で巻き付けることにより対象物の開閉部が開くことを阻止するものであることを特徴とするブックバンド。
【請求項２】
バンド固定部の幅は保持部の幅よりも短いものであり、板状部材を折りたたむと、折り目とは反対側の保持部の端部がバンド固定部の端部よりも突出していることを特徴とする請求項１に記載のブックバンド。
【請求項３】
バンド固定部におけるバンド部材が固定される位置は、折り目側の端部との距離よりも、折り目とは反対側の端部との距離の方が短いものであることを特徴とする請求項１又は２に記載のブックバンド。
【請求項４】
請求項１〜３のいずれかのブックバンドと、
シートを重ねて綴じた両面に表表紙及び裏表紙を配置し、表表紙及び裏表紙をシートが綴じられた綴じ部側で固定して、綴じ部とは反対側の開閉部が開閉できる手帳と、
表表紙及び裏表紙の外側に配置され、表表紙及び裏表紙が挿入されるポケット部が形成されるブックカバーとを有し、
ブックバンドの保持部をブックカバーのポケット部に挿入してブックバンドの保持が行われることを特徴とするブックバンド付き手帳。
【発明の詳細な説明】
【技術分野】
【０００１】
本発明は、本、手帳、その他の冊子類などに用いられ、一時的に開かないようにして、閉じた状態を維持するために使用されるブックバンドに関するものである。
【背景技術】
【０００２】
本や手帳などでは、使用時には必要なページを開くものであり、未使用時には閉じた状態にしておく。しかし、使用しない場合であっても、持ち運ぶ場合などには、外力が働いて開いてしまうことがある。このような場合、シートが破損したり、折れたり、汚れたりすることがあるので、このような外力が働いても閉じた状態を維持して開くことを防止することが望ましい。
従来、閉じた状態を維持して開かないようにする方法としては、着脱可能に固定する部材を本や手帳の表裏の表紙や、ブックカバーの表裏に設けたりする方法や、バンドを巻き付ける方法などがあった。
【０００３】
バンドを巻き付ける方法の場合、表裏同士を固定する方法に比べて、構造を比較的簡単にすることができるが、このような方法としては、例えば、特許文献１に開示されている。そして、特許文献１の本開き防止具は、所要の長さを有する伸縮性に優れた輪状の部材が設けられており、この輪状の部材を本に巻き付けて未使用時に開いてしまうことを防止するようにしている。
【特許文献１】特開２００２−１０４４９２号公報
【発明の開示】
【発明が解決しようとする課題】
【０００４】
一般に、本や手帳などは、複数の長方形状のシートを重ねて綴じた両面に表表紙及び裏表紙を配置し、表表紙及び裏表紙をシートが綴じられた綴じ部側で固定して、綴じ部とは反対側の開閉部側が開閉するものである。
そのため、本や手帳などの対象物をバンドで巻き付ける手段としては、綴じ部と開閉部とを往復するように巻き付ける手段と、綴じ部と開閉部の間を巻き付ける手段とがある。しかしながら、前者の手段では、バンドが巻き付けられていない部分に外力が作用すると、表表紙や裏表紙に曲げ応力が作用するため、表表紙や裏表紙のバンドを巻き付けられた付近に外力が集中して作用することになるため、表表紙や裏表紙に剛性や強度がないと、表表紙や裏表紙が変形や破損が発生してしまうおそれがある。
【０００５】
一方、後者の手段では、開閉部全体が巻き付けられることになるので、剛性や強度が小さい表表紙や裏表紙が用いられている場合にも、変形や破損のおそれは小さい。しかし、外力が作用した場合に、巻き付けられたバンドが綴じ部側へ移動しやすく、綴じ部側に移動すると閉じた状態を維持することが難しくなるという問題があった。
【０００６】
また、閉じた状態を維持するのは一時的であるので、バンドは何度も繰り返して用いられる。そのため、バンドを巻き付けないで開くことができる状態、すなわち、本や手帳を使用する場合であっても本や手帳から離脱せず、繰り返しても同じ位置で巻き付けることができるようにすることが望ましい。
【０００７】
そこで、本発明は、簡単な構造で閉じた状態を維持することができ、繰り返し使用することが容易なブックバンドを提供することを課題とするものである。
【課題を解決するための手段】
【０００８】
上記課題を解決するための請求項１に記載の発明は、シートを重ねて綴じた両面に表表紙及び裏表紙を配置し、表表紙及び裏表紙をシートが綴じられた綴じ部側で固定して、綴じ部とは反対側の開閉部側が開閉できる対象物を、一時的に閉じた状態を維持するブックバンドであって、幅方向の中途部分で折り曲げられて折り目が形成され、前記折り目によってバンド固定部と保持部とが形成される板状部材と、前記バンド固定部に固定されるバンド部材とを有し、板状部材を折りたたんだ状態で、折り目が対象物の綴じ部側となるようにしながら、保持部を対象物の表表紙又は裏表紙の内側で保持し、綴じ部と開閉部の間をバンド部材で巻き付けることにより対象物の開閉部が開くことを阻止するものであることを特徴とするブックバンドである。
【０００９】
請求項１に記載の発明によれば、バンド固定部と保持部とが折り目でつながる板状部材と、バンド固定部に固定されるバンド部材とを有しており、保持部を対象物の表表紙又は裏表紙の内側で保持し、対象物の綴じ部と開閉部との間をバンド部材で巻き付けることができるので、バンド部材を巻き付けていない状態でもブックバンドが対象物から離脱しにくく、また、バンド部材を巻き付けている状態でバンド部材がずれにくい。
【００１０】
請求項２に記載の発明は、バンド固定部の幅は保持部の幅よりも短いものであり、板状部材を折りたたむと、折り目とは反対側の保持部の端部がバンド固定部の端部よりも突出していることを特徴とする請求項１に記載のブックバンドである。
【００１１】
請求項２に記載の発明によれば、バンド固定部の幅は保持部の幅よりも短いものであり、板状部材を折りたたむと、折り目とは反対側の保持部の端部がバンド固定部の端部よりも突出しているので、バンド固定部が突出することが無く、使用時にバンド固定部が邪魔になりにくい。
【００１２】
請求項３に記載の発明は、バンド固定部におけるバンド部材が固定される位置は、折り目側の端部との距離よりも、折り目とは反対側の端部との距離の方が短いものであることを特徴とする請求項１又は２に記載のブックバンドである。
【００１３】
請求項３に記載の発明によれば、バンド固定部におけるバンド部材が固定される位置は、折り目側の端部との距離よりも、折り目とは反対側の端部との距離の方が短いので、対象物の開閉部側をバンド部材によって巻き付けることができるので、より確実に閉じた状態を維持することができる。
【００１４】
また、請求項１〜３のいずれかのブックバンドを用いて、ブックバンド付き手帳とすることができる。
すなわち、請求項１〜３のいずれかのブックバンドと、シートを重ねて綴じた両面に表表紙及び裏表紙を配置し、表表紙及び裏表紙をシートが綴じられた綴じ部側で固定して、綴じ部とは反対側の開閉部が開閉できる手帳と、表表紙及び裏表紙の外側に配置され、表表紙及び裏表紙が挿入されるポケット部が形成されるブックカバーとを有し、ブックバンドの保持部をブックカバーのポケット部に挿入してブックバンドの保持が行われるものである（請求項４）。
【発明の効果】
【００１５】
本発明のブックバンドを用いることにより、簡単な構造で閉じた状態を維持することができ、繰り返して使用することが容易である。
【発明を実施するための最良の形態】
【００１６】
本発明の第１の実施形態におけるブックバンド１は、図１に示されるように、板状部材１０とバンド部材１１とを有している。そして、図３、図４に示されるように、ブックバンド１を手帳８０の表表紙８６の内側に配置し、バンド部材１１を手帳８０の開閉部８５ｂ付近を巻き付けるようにして用いる。
【００１７】
板状部材１０は、板状の部材であり、クラフト紙が用いられている。また、板状部材１０は、バンド固定部２０と保持部３０を有しており、バンド固定部２０と保持部３０とは折り目４０でつながっている。言い換えると、板状部材１０は、幅方向の中途部分で折り曲げられて折り目４０が形成されており、折り目４０によってバンド固定部２０と保持部３０とに分割するように形成されている。
なお、板状部材１０の材質は限定されるものではなく、クラフト紙以外の紙や、樹脂シートなどの他の材質のものを用いることができる。
【００１８】
バンド固定部２０は、長方形の板状であり、折り目側端部２０ａ、外側端部２０ｂ、上側端部２０ｃ、下側端部２０ｄを有している。そして、折り目側端部２０ａと外側端部２０ｂとが対向する位置関係であり、上側端部２０ｃと下側端部２０ｄとが対向する位置関係である。
また、折り目側端部２０ａ及び外側端部２０ｂは、上側端部２０ｃ及び下側端部２０ｄよりも長く、縦長の長方形状である。
バンド固定部２０は、外側端部２０ｂで２つ折りにされて表板２１と裏板２２の２重になっており、外側端部２０ｂが折り返し部分となっており、表板２１と裏板２２は外側端部２０ｂでつながっている。
【００１９】
また、バンド固定部２０の固定部２５で、バンド部材１１が固定されている。本実施形態では、バンド部材１１の固定はハトメによって行われているが、他の方法を用いることができる。また、バンド部材１１は、表板２１と裏板２２との間に配置しており、表板２１、裏板２２、バンド部材１１が一体となるように固定されている。したがって、この固定により、表板２１と裏板２２が外側端部２０ｂの折り返し部分で開かないような構造となっている。
【００２０】
固定部２５の位置は、特に限定されるものではないが、本実施形態では、長さ方向には上側端部２０ｃ寄りの位置であり、また、幅方向には外側端部２０ｂの位置であって、折り目４０側の折り目側端部２０ａとの距離よりも、外側端部２０ｂとの距離の方が短い。
したがって、バンド部材１１の露出しない無駄な部分を短くすることができ、また、ブックバンド１を使用する際に、手帳８０の開閉部８５ｂ側に近い位置にバンド部材１１を巻き付けることができる。
【００２１】
保持部３０は、折り目側端部３０ａ、外側端部３０ｂ、上側端部３０ｃ、下側端部３０ｄを有している。そして、折り目側端部３０ａと外側端部３０ｂとが対向する位置関係であり、上側端部３０ｃと下側端部３０ｄとが対向する位置関係である。
また、折り目側端部３０ａ及び外側端部３０ｂは、上側端部３０ｃ及び下側端部３０ｄよりも長く、縦長の長方形状である。
【００２２】
図２に示されるように、バンド固定部２０の上下方向の長さＨ１は保持部３０の長さＨ２と同じであり、また、バンド固定部２０横方向の幅Ｗ１は、保持部３０の幅Ｗ２よりも短い。そして、板状部材１０を折り目４０で折りたたむと、図２に示されるように、折り目４０とは反対側のバンド固定部２０の外側端部２０ｂが、保持部３０の外側端部３０ｂよりも突出している状態となり、突出帯４５が形成される。
【００２３】
バンド部材１１は、伸縮可能なゴム製の幅広のバンドが用いられており、バンド部材１１の両端が固定部２５で固定されて環状となっており、上側端部２０ｃから外部に露出している。バンド部材１１の露出する部分の長さは、用いられる手帳８０の長さに応じて決めることができる。
【００２４】
ブックバンド１の製作は、クラフト紙を所定の長さ、所定の幅に切断し、バンド固定部２０の外側端部２０ｂが折り返し部分と、折り目４０とを形成し、固定部２５でバンド部材１１を固定して行われる。
【００２５】
次に、ブックバンド１を手帳８０に使用する方法について、図３、図４を用いて説明する。
手帳８０は冊子状であり、シート部８５、表表紙８６、裏表紙８７及び背表紙８８を有している。シート部８５は、複数のシートを重ねて綴じられているものであり、各シートは綴じ部８５ａ側が固定され、綴じ部８５ａとは反対側の開閉部８５ｂ側を開くことが出来るようになっている。シート部８５は、必要な印刷などが行われており、また、使用時には、ユーザーが必要なページを開いて、所定の事項を記入したり見たりするものである。
【００２６】
また、シート部８５の両面にそれぞれ表表紙８６と裏表紙８７が配置され、綴じ部８５ａの外側に背表紙８８が配置されている。表表紙８６、裏表紙８７及び背表紙８８は、一枚の紙を綴じ部８５ａに固定して形成されるものであり、表表紙８６及び裏表紙８７は、シート部８５の綴じ部８５ａ側で固定されている。
手帳８０はこのような構造であるので、シート部８５の各シートや、表表紙８６や裏表紙８７は、綴じ部８５ａ側を支点にし、開閉部８５ｂ側を動かして開閉することが出来る。
【００２７】
また、手帳８０は、図３、４に示されるように、ブックカバー８２が取り付けられている。
ブックカバー８２は、手帳８０の表表紙８６、裏表紙８７及び背表紙８８の外側に配置される帯状のものであり、両端部に袋状のポケット部８２ａ、８２ｂが形成されている。そして、手帳８０の表表紙８６と裏表紙８７を、それぞれポケット部８２ａ、８２ｂに挿入し、ブックカバー８２が手帳８０から離脱しないようになっている。
【００２８】
そして、ブックバンド１を手帳８０の表表紙８６の内側に配置する。具体的には、図３に示されるように、ブックバンド１の保持部３０を、外側端部３０ｂ側からブックカバー８２のポケット部８２ａに入れる。また、バンド固定部２０はポケット部８２ａに入れないようにして、折り目４０が綴じ部８５ａ側となるようにする。
【００２９】
そうすると、図３、図４に示されるように、ブックバンド１は表表紙８６とシート部８５の間に位置した状態で保持され、ブックバンド付き手帳５となる。また、ブックバンド１のバンド部材１１は、手帳８０の上側へ出ている状態となるが、ブックバンド１の固定部２５の位置が折り目４０とは反対側の外側端部２０ｂ側に寄っているので、バンド部材１１の位置をより開閉部８５ｂ側とすることができる。
【００３０】
特に、本実施形態では、バンド固定部２０はポケット部８２ａに挿入されないので、ポケット部８２ａの深さに関係なく固定部２５の位置を決めることができ、ポケット部８２ａが形成されている付近であっても、バンド部材１１を巻き付けるようにすることができ、バンド部材１１を巻き付ける位置を自由に決めることができる。
【００３１】
本実施形態のブックバンド１の板状部材１０は、バンド固定部２０の幅が保持部３０の幅よりも長い。そして、手帳８０が閉じられると板状部材１０が折りたたまれるが、このとき、折り目４０とは反対側の保持部３０の外側端部３０ｂがバンド固定部２０の外側端部２０ｂよりも突出し、突出帯４５の幅の分だけ、バンド固定部２０の外側端部２０ｂが綴じ部８５ａ側に寄った位置になる。そのため、手帳８０を使用する場合などに、バンド固定部２０の外側端部２０ｂが飛び出して邪魔になったりすることがない。
【００３２】
手帳８０を閉じた状態を維持する場合、ブックバンド１のバンド部材１１を手帳８０に巻き付けることにより行われる。具体的には、手帳８０を閉じた状態で、バンド部材１１を表表紙８６及び裏表紙８７の外側を通過するようにし、綴じ部８５ａと開閉部８５ｂの間をバンド部材１１で巻き付けるようにして行われる。そうすると、バンド部材１１は開閉部８５ｂ付近をほぼ一周するような状態となり、開閉部８５ｂが拘束されて開くことが阻止される。
【００３３】
本実施形態のバンド部材１１は、自然長が巻き付けた状態の時よりやや短くしているので、巻き付けた状態では少し伸びた状態となり、強い力で巻き付けている状態となり、開閉部８５ｂが離反することをより確実に阻止することができる。
【００３４】
バンド部材１１を巻き付けた状態では、ブックバンド１の板状部材１０は、手帳８０の表表紙８６とシート部８５の間で挟まれるのでずれにくく、その結果、ブックバンド１全体をずれにくくすることができる。また、保持部３０がブックカバー８２のポケット部８２ａに入っており、綴じ部８５ａ側に移動する方向には、折り目４０が綴じ部８５ａに当接して離脱を阻止するため、バンド部材１１に大きな外力が加わったとしても、ブックバンド１が外れてしまうことはない。
【００３５】
また、手帳８０を使用する場合、すなわち、手帳８０を開くことが出来る状態とする場合には、保持部３０をポケット部８２ａに入れた状態でバンド部材１１を巻き付けないようにしておく。このとき、ブックバンド１は保持部３０によって保持することができるので、再度、バンド部材１１を巻き付ける場合に巻き付けやすく、バンド部材１１の位置もずれにくい。
バンド固定部２０の外側端部２０ｂは折り曲げ部分であり、紙の切断部分ではないので、手帳８０を使用する際などに引っかかるなどの問題が発生しにくい。
【００３６】
上記したブックバンド１のバンド部材１１は、伸縮可能なゴム製の幅広のバンドが用いられているが、他の形状や材質のものを用いることができる。また、バンド部材１１として、中途部分で切断部分があり、この切断部分を面ファスナーなどの着脱可能なものを取り付けたものを用いることもできる。
【００３７】
また、上記した説明では、一時的に閉じた状態を維持するための対象物として手帳８０の場合を説明したが、他の対象物に対しても用いることができる。また、ブックバンド１を表表紙８６の内側で保持するものであったが、裏表紙８７の内側で保持することもできる。
さらに、保持部３０を手帳８０のブックカバー８２のポケット部８２ａに入れて保持するものであったが、他の保持構造を採用することもできる。
【００３８】
上記したブックバンド１の板状部材１０の大きさは、手帳８０の表表紙８６に合わせた大きさとなっているが、板状部材１０の幅や長さは、表表紙８６や裏表紙８７の内側で保持することができればよく、手帳８０などの幅や長さに対して、短いものを採用することができる。したがって、大きさが異なる手帳に用いる場合であっても、小さい手帳に合わせたブックバンドを作成して用いることができる。
【図面の簡単な説明】
【００３９】
【図１】本発明のブックバンドを折り目で開いた状態を示した斜視図である。
【図２】本発明のブックバンドを折りたたんだ状態を示した斜視図である。
【図３】本発明のブックバンドを手帳に用いた状態を示した斜視図である。
【図４】本発明のブックバンドを手帳に用いて、一時的に閉じた状態を示した斜視図である。
【符号の説明】
【００４０】
１    ブックバンド
５    ブックバンド付き手帳
１０  板状部材
１１  バンド部材
２０  バンド固定部
２５  固定部
３０  保持部
４０  折り目
８０  手帳
８２  ブックカバー
８２ａ  ポケット部
８５ａ  綴じ部
８５ｂ  開閉部
８５  シート部
８６  表表紙
８７  裏表紙
【図１】
2009214897.tif 000003
【図２】
2009214897.tif 000004
【図３】
2009214897.tif 000005
【図４】
2009214897.tif 000006